(57)【要約】  【解決手段】  フェース板部にはフェース、側壁と少なくとも一個の強化突出体が設けられる。側壁はフェースの周縁から後方へ折り曲げて延伸するように形成され、側壁は延長長さの変化を有するように形成される。強化突出体は側壁の内周面の適当な位置に突出するように設けられる。側壁の延長長さの変化はフェースが主打球ゾーンに近い側の弾性変形の能力を相対的に高めるのに用いられ、強化突出体は本体部とフェース板部との耐震構造の強度を増やすのに用いられる。  【効果】  フェース板部に延長長さの変化を有した側壁が形成され、側壁が主打球ゾーンに近い側に相対的に大きい延長長さが形成されると共に、側壁の内周面の少なくとも一個の応力集中の位置に強化突出体が突出するため、確実に弾性変形の能力と耐震構造の強度を相対的に高めることができる。【選択図】    図１
0003116162.tif 000002
【実用新案登録請求の範囲】
【請求項１】
本体部（１０）、フェース板部（２０）および少なくとも一個の強化突出体（２５）により構成されるゴルフクラブヘッド構造であって、本体部（１０）の正面には結合部（１６）が形成され、フェース板部（２０）にはフェース（２１）と側壁（２２）が設けられ、フェース（２１）は打球するのに用いられ、側壁（２２）はフェース（２１）の周縁から後方へ折り曲げて延伸するように形成され、側壁（２２）には端部（２２１）が形成されることにより、本体部（１０）の結合部（１６）に結合することができ、強化突出体（２５）は側壁（２２）の内周面の少なくとも一個の予定された位置に突出するように設けられ、強化突出体（２５）は本体部（１０）とフェース板部（２０）との耐震構造の強度を増やすのに用いられることを特徴とするゴルフクラブヘッド構造。
【請求項２】
強化突出体（２５）は側壁（２２）の内周面における少なくとも一個の応力集中の位置に突出するように設けられることを特徴とする請求項１記載のゴルフクラブヘッド構造。
【請求項３】
強化突出体（２５）は側壁（２２）のソール部側の内周面においてトー部（１１）に近い位置に形成されることを特徴とする請求項２記載のゴルフクラブヘッド構造。
【請求項４】
強化突出体（２５）は側壁（２２）のソール部側の内周面においてヒール部（１２）に近い位置に形成されることを特徴とする請求項２記載のゴルフクラブヘッド構造。
【請求項５】
強化突出体（２５）は側壁（２２）のクラウン部側の内周面においてトー部（１１）に近い位置に形成されることを特徴とする請求項２記載のゴルフクラブヘッド構造。
【請求項６】
強化突出体（２５）は側壁（２２）のクラウン部側の内周面においてヒール部（１２）に近い位置に形成されることを特徴とする請求項２記載のゴルフクラブヘッド構造。
【請求項７】
強化突出体（２５）は側壁（２２）のトー部側の内周面の位置に形成されることを特徴とする請求項２記載のゴルフクラブヘッド構造。
【請求項８】
フェース板部（２０）の側壁（２２）は延長長さの変化に形成されることを特徴とする請求項１記載のゴルフクラブヘッド構造。
【請求項９】
側壁（２２）は選択的に連続性、不連続性の方式で延長長さの変化に形成されることを特徴とする請求項８記載のゴルフクラブヘッド構造。
【請求項１０】
側壁（２２）の延長長さの変化は全体のヘッドの重心位置および主打球ゾーンの位置とは正関連性を有するように形成されることを特徴とする請求項８記載のゴルフクラブヘッド構造。
【請求項１１】
側壁（２２）のソール部側の延長長さは実質的にクラウン部側の延長長さより大きくなるように形成されることを特徴とする請求項８記載のゴルフクラブヘッド構造。
【請求項１２】
側壁（２２）のクラウン部側の延長長さは実質的にソール部側の延長長さより大きくなるように形成されることを特徴とする請求項８記載のゴルフクラブヘッド構造。
【請求項１３】
側壁（２２）のトー部側の延長長さは実質的にヒール部側の延長長さより大きくなるように形成されることを特徴とする請求項８記載のゴルフクラブヘッド構造。
【請求項１４】
側壁（２２）のヒール部側の延長長さは実質的にトー部側の延長長さより大きくなるように形成されることを特徴とする請求項８記載のゴルフクラブヘッド構造。
【請求項１５】
本体部（１０）の正面においてヒール部（１２）に近い側には他に側壁部（１７）が設けられ、側壁部（１７）は実質的に結合部（１６）と垂直するように形成されることを特徴とする請求項１記載のゴルフクラブヘッド構造。
【請求項１６】
フェース板部（２０）のヒール部に近い側には他に側凹欠口（２４）が設けられることにより、本体部（１０）の側壁部（１７）に結合することができることを特徴とする請求項１５記載のゴルフクラブヘッド構造。
【請求項１７】
本体部（１０）およびフェース板部（２０）により構成されるゴルフクラブヘッド構造であって、本体部（１０）の正面には結合部（１６）が形成され、フェース板部（２０）にはフェース（２１）と側壁（２２）が設けられ、フェース（２１）は打球するのに用いられ、フェース（２１）には主打球ゾーンが形成され、側壁（２２）はフェース（２１）の周縁から後方へ折り曲げて延伸するように形成され、側壁（２２）には端部（２２１）が形成されることにより、本体部（１０）の結合部（１６）に結合することができ、側壁（２２）には延長長さの変化を有するように形成され、側壁（２２）の延長長さの変化はフェース（２１）が上記主打球ゾーンに近い側の弾性変形の能力を相対的に高めるのに用いられることを特徴とするゴルフクラブヘッド構造。
【請求項１８】
側壁（２２）は選択的に連続性、不連続性の方式で延長長さの変化に形成されることを特徴とする請求項１７記載のゴルフクラブヘッド構造。
【請求項１９】
側壁（２２）の延長長さの変化は全体のヘッドの重心位置および主打球ゾーンの位置とは正関連性を有するように形成されることを特徴とする請求項１７記載のゴルフクラブヘッド構造。
【請求項２０】
側壁（２２）のソール部側の延長長さは実質的にクラウン部側の延長長さより大きくなるように形成されることを特徴とする請求項１７記載のゴルフクラブヘッド構造。
【請求項２１】
側壁（２２）のクラウン部側の延長長さは実質的にソール部側の延長長さより大きくなるように形成されることを特徴とする請求項１７記載のゴルフクラブヘッド構造。
【請求項２２】
側壁（２２）のトー部側の延長長さは実質的にヒール部側の延長長さより大きくなるように形成されることを特徴とする請求項１７記載のゴルフクラブヘッド構造。
【請求項２３】
側壁（２２）のヒール部側の延長長さは実質的にトー部側の延長長さより大きくなるように形成されることを特徴とする請求項１７記載のゴルフクラブヘッド構造。
【請求項２４】
フェース板部（２０）の側壁（２２）の内周面には他に少なくとも一個の強化突出体（２５）が突出するように設けられることを特徴とする請求項１７記載のゴルフクラブヘッド構造。
【請求項２５】
強化突出体（２５）は側壁（２２）の内周面における少なくとも一個の応力集中の位置に突出するように設けられることを特徴とする請求項２４記載のゴルフクラブヘッド構造。
【請求項２６】
強化突出体（２５）は側壁（２２）のソール部側の内周面においてトー部（１１）に近い位置に形成されることを特徴とする請求項２４記載のゴルフクラブヘッド構造。
【請求項２７】
強化突出体（２５）は側壁（２２）のソール部側の内周面においてヒール部（１２）に近い位置に形成されることを特徴とする請求項２４記載のゴルフクラブヘッド構造。
【請求項２８】
強化突出体（２５）は側壁（２２）のクラウン部側の内周面においてトー部（１１）に近い位置に形成されることを特徴とする請求項２４記載のゴルフクラブヘッド構造。
【請求項２９】
強化突出体（２５）は側壁（２２）のクラウン部側の内周面においてヒール部（１２）に近い位置に形成されることを特徴とする請求項２４記載のゴルフクラブヘッド構造。
【請求項３０】
強化突出体（２５）は側壁（２２）のトー部側の内周面の位置に形成されることを特徴とする請求項２４記載のゴルフクラブヘッド構造。
【請求項３１】
本体部（１０）の正面においてヒール部（１２）に近い側には他に側壁部（１７）が設けられ、側壁部（１７）は実質的に結合部（１６）と垂直するように形成されることを特徴とする請求項１７記載のゴルフクラブヘッド構造。
【請求項３２】
フェース板部（２０）のヒール部に近い側には他に側凹欠口（２４）が設けられることにより、本体部（１０）の側壁部（１７）に結合することができることを特徴とする請求項３１記載のゴルフクラブヘッド構造。
【考案の詳細な説明】
【技術分野】
【０００１】
本考案は、ゴルフクラブヘッド構造に関するもので、特にフェース板には折り曲げて延伸するように側壁が形成され、側壁には延長長さの変化を有するように形成され、さらに側壁の内周面には強化突出体が突出するように設けられることにより、弾性変形の能力と耐震構造の強度を高めることができるゴルフクラブヘッド構造に係るものである。
【背景技術】
【０００２】
従来のゴルフクラブヘッド構造としては、図７に示すように、本体部１０およびフェース板部２０が含まれる。本体部１０にはトー部１１（toe）、ヒール部１２（heel）、クラウン部１３（crown）、ソール部１４（sole）、ホーゼル１５と結合部１６が形成される。結合部１６は本体部１０の正面１５の周縁に形成される。フェース板部２０にはフェース２１が設けられ、そしてフェース２１の辺縁から折り曲げて側壁２２が環設されるため、フェース板部２０はＵ字形の断面を有するように形成される。フェース板部２０の側壁２２の端部２２１は熔接（welding）または硬ろう付け（brazing）などの方式により本体部１０の結合フランジ１６に結合することができる。組立を完成した後、フェース板部２０と本体部１０は共同でゴルフクラブヘッドを組成することができる。ゴルフクラブヘッドを利用してゴルフボールを打球する時、フェース板部２０の側壁２２によりフェース板部２０のフェース２１の弾性変形の能力を高めるのに役立つため、比較的よい打球の性能を提供することができるようにとしたものがある（例えば、特許文献１、２を参照）。
【特許文献１】中華民国公告番号第５５７８０６号公報
【特許文献２】アメリカ第６，５０６，１２９号公報
【考案の開示】
【考案が解決しようとする課題】
【０００３】
上記のような従来のゴルフクラブヘッド構造においては、上述した組立の方式では下記の問題点を有している。例えば、最近ゴルフクラブヘッドの製品は低重心の設計が要求されつつあり、それによって慣性モーメントを延ばすと共に、遠距離の打球の能力を高めることができる。全体の重心の位置が低ければ低いほど、フェース板部２０の主打球ゾーン（sweet spot）は相対的に下方へ移動して本体部１０のソール部１４に近づくように形成される。この時、フェース板部２０がソール部１４に近づく側壁２２は相対的に比較的大きい弾性変形の能力を有するように形成される。ただし、上述した従来のフェース板部２０の側壁２２は通常として実質的に同じ延長長さを有するように設計されるため、各部位における側壁２２がフェース板２０に貢献できる弾性変形の能力は実質的に相違がない。しかし、フェース板部２０がソール部１４に近づく側壁２２が再び増長しないという前提で、フェース板部２０のフェース２１の主打球ゾーンが高められる弾性変形の能力は実に限られている。それに反して、ゴルフクラブヘッドの製品が高い重心の位置に設計されて主打球ゾーンが上方へ移動された時、フェース板部２０がクラウン部１３に近づく側壁２２が再び増長しないという前提で、フェース板部２０のフェース２１の主打球ゾーンが高められる弾性変形の能力も同様に制限されている。また、側壁２２によりフェース板部２０の弾性変形の能力を高めることができるが、長期的にゴルフボールを打球することで、側壁２２の端部２２１と本体部１０の結合部１６との間は特定な位置において応力集中という現象が生じ易い。上述した応力集中の位置はヘッドのタイプによって異なるが、応力集中の位置において側壁２２または熔接道には亀裂が生じ易く、またフェース板部２０が脱落したり破損したりしてしまい、さらにはゴルフクラブヘッドの打球の寿命が短くなるという問題点があった。このように、上記のような従来のゴルフクラブヘッド構造をさらに改良しなければならない。
【０００４】
本考案はこのような問題点に鑑みて考案したものであって、その目的とするところは、フェース板部には折り曲げて延伸するように延長長さの変化を有した側壁が形成され、さらに上記側壁が主打球ゾーンに近い側には相対的に比較的大きい延長長さが形成されると共に、側壁の内周面には適当に少なくとも一個の強化突出体が突出するように設けられ、上記強化突出体は実質的に少なくとも一個の応力集中の位置に位置されるため、確実に弾性変形の能力と耐震構造の強度を相対的に高めることができるゴルフクラブヘッド構造を提供しようとするものである。
【０００５】
本考案の第一の目的は、フェース板部には折り曲げて延伸するように側壁が形成され、上記側壁の内周面には適当に少なくとも一個の強化突出体が設けられるため、耐震構造の強度を高めることができるゴルフクラブヘッド構造を提供しようとするものである。
【０００６】
本考案の第二の目的は、フェース板部には折り曲げて延伸するように延長長さの変化を有した側壁が形成されるため、弾性変形の能力を高めることができるゴルフクラブヘッド構造を提供しようとするものである。
【０００７】
本考案の第三の目的は、フェース板部には折り曲げて延伸するように側壁が形成され、上記側壁の内周面において少なくとも一個の応力集中の位置には適当に少なくとも一個の強化突出体が設けられるため、耐震構造の強度を高めることができるゴルフクラブヘッド構造を提供しようとするものである。
【０００８】
本考案の第四の目的は、フェース板部には折り曲げて延伸するように延長長さの変化を有した側壁が形成され、さらに上記側壁が主打球ゾーンに近い側には相対的に比較的大きい延長長さが形成されるため、弾性変形の能力を高めることができるゴルフクラブヘッド構造を提供しようとするものである。
【０００９】
上記目的を達成するために、本考案によるゴルフクラブヘッド構造は、下記のようになるものである。すなわち、
本体部、フェース板部および少なくとも一個の強化突出体により構成される。本体部の正面には結合部が形成される。フェース板部にはフェースと側壁が設けられ、フェースは打球するのに用いられ、側壁はフェースの周縁から後方へ折り曲げて延伸するように形成され、側壁には端部が形成されることにより、本体部の結合部に結合することができる。強化突出体は側壁の内周面の少なくとも一個の予定された位置に突出するように設けられ、強化突出体は本体部とフェース板部との耐震構造の強度を増やすのに用いられる。
【００１０】
本考案によるゴルフクラブヘッド構造は、強化突出体は側壁の内周面における少なくとも一個の応力集中の位置に突出するように設けられることもできる。また、強化突出体は側壁のソール部側の内周面においてトー部に近い位置に形成されることもできる。また、強化突出体は側壁のソール部側の内周面においてヒール部に近い位置に形成されることもできる。また、強化突出体は側壁のクラウン部側の内周面においてトー部に近い位置に形成されることもできる。また、強化突出体は側壁のクラウン部側の内周面においてヒール部に近い位置に形成されることもできる。また、強化突出体は側壁のトー部側の内周面の位置に形成されることもできる。また、フェース板部の側壁は延長長さの変化に形成されることもできる。また、側壁は選択的に連続性、不連続性の方式で延長長さの変化に形成されることもできる。また、側壁の延長長さの変化は全体のヘッドの重心位置および主打球ゾーンの位置とは正関連性を有するように形成されることもできる。また、側壁のソール部側の延長長さは実質的にクラウン部側の延長長さより大きくなるように形成されることもできる。また、側壁のクラウン部側の延長長さは実質的にソール部側の延長長さより大きくなるように形成されることもできる。また、側壁のトー部側の延長長さは実質的にヒール部側の延長長さより大きくなるように形成されることもできる。また、側壁のヒール部側の延長長さは実質的にトー部側の延長長さより大きくなるように形成されることもできる。また、本体部の正面においてヒール部に近い側には他に側壁部が設けられ、側壁部は実質的に結合部と垂直するように形成されることもできる。また、フェース板部のヒール部に近い側には他に側凹欠口が設けられることにより、本体部の側壁部に結合することもできる。
【００１１】
また、本考案によるゴルフクラブヘッド構造は、本体部およびフェース板部により構成される。本体部の正面には結合部が形成される。フェース板部にはフェースと側壁が設けられ、フェースは打球するのに用いられ、フェースには主打球ゾーンが形成され、側壁はフェースの周縁から後方へ折り曲げて延伸するように形成され、側壁には端部が形成されることにより、本体部の結合部に結合することができる。側壁には延長長さの変化を有するように形成され、側壁の延長長さの変化はフェースが上記主打球ゾーンに近い側の弾性変形の能力を相対的に高めるのに用いられる。
【考案の効果】
【００１２】
本考案のゴルフクラブヘッド構造によれば、フェース板部には折り曲げて延伸するように側壁が形成され、上記側壁の内周面には適当に少なくとも一個の強化突出体が設けられるため、耐震構造の強度を高めることができるという利点がある。
【００１３】
本考案のゴルフクラブヘッド構造によれば、フェース板部には折り曲げて延伸するように延長長さの変化を有した側壁が形成されるため、弾性変形の能力を高めることができるという利点がある。
【００１４】
本考案のゴルフクラブヘッド構造によれば、フェース板部には折り曲げて延伸するように側壁が形成され、上記側壁の内周面において少なくとも一個の応力集中の位置には適当に少なくとも一個の強化突出体が設けられるため、耐震構造の強度を高めることができるという利点がある。
【００１５】
本考案のゴルフクラブヘッド構造によれば、フェース板部には折り曲げて延伸するように延長長さの変化を有した側壁が形成され、さらに上記側壁が主打球ゾーンに近い側には相対的に比較的大きい延長長さが形成されるため、弾性変形の能力を高めることができるという利点がある。
【考案を実施するための最良の形態】
【００１６】
本考案の実施の形態について、以下、図面を参照して説明する。
【実施例１】
【００１７】
図１を参照すると、本考案の実施例１のゴルフクラブヘッド構造には本体部１０およびフェース板部２０が含まれ、本体部１０とフェース板部２０により共同でゴルフクラブヘッドを組成する。上記ゴルフクラブヘッドはアイアン型（iron）、ウッド型（wood）のヘッドを例に挙げているが、ユーティリティ型（utility）またはパター型（putter）の従来のヘッドから選択することができる。
【００１８】
図１を参照すると、本考案の実施例１の本体部１０は好ましくは適当な金属、合金材料または非金属材料により製成され、そして鋳造、鍛造または機械加工などの方式により製成される。本体部１０にはトー部１１、ヒール部１２、クラウン部１３、ソール部１４、ホーゼル１５、結合部１６と側壁部１７が含まれ、そして本体部１０には好ましくは凹欠部１８が形成され、凹欠部１８は末端において開放状または封止状になるのを選択することができる。トー部１１、ヒール部１２、クラウン部１３、ソール部１４とホーゼル１５は一般のヘッドの基本構造に属する。結合部１６は実質的に本体部１０の正面のリップ縁の位置に設けられる。側壁１７は実質的にヒール部１２側に近づくように形成され、そして結合部１６と垂直になるように形成される。また、製品の需要性に応じて本体部１０のソール部１４の体積は好ましくは相対的にクラウン部１３の体積より大きく（または小さく）なるように設計されることにより、ヘッド全体の重心の位置を相対的に低く抑える（または高く調整する）ことができる。
【００１９】
再び図１を参照すると、本考案の実施例１のフェース板部２０は好ましくは適当な金属、合金材料または非金属材料により製成され、そして鋳造、鍛造またはプレスなどの加工方式により製成される。フェース板部２０にはフェース２１（フェース部）、側壁２２（弾性延伸部）、弾性変形空間２３、側凹欠口２４と少なくとも一個の強化突出体２５が含まれる。フェース２１は略平板状に形成され、そしてフェース２１の中央には他に選択的に比較的厚いゾーンが形成され、上記比較的厚いゾーンはゴルフボールを打球するのに用いられる。側壁２２はフェース２１の周縁から後方へ折り曲げて延伸するように形成されるため、フェース板部２０はＵ字形の断面を有するように形成される。側壁２２には端部２２１が形成される。弾性変形空間２３は側壁２２により囲まれるように形成され、弾性変形空間２３によりフェース２１が後方への弾性変形に必要とする空間を提供することができる。側凹欠口２４は弾性変形空間２３におけるヒール部１２に近い側に設けられる。強化突出体２５は選択的に一体成形または組立の方式により側壁２２の内周面に突出するように設けられ、そして強化突出体２５の肉厚は実質的に側壁２２のその他の部位における基本的な肉厚より大きくなるに形成される。また、強化突出体２５は好ましくは側壁２２の内周面における少なくとも一個の応力集中の位置に突出するように設けられ、上記応力集中の位置はヘッドのタイプによって異なり、例えば側壁２２のソール部側の内周面においてトー部１１またはヒール部１２に近い位置に形成されるかもしれない。
【００２０】
再び図１を参照すると、フェース板部２０は好ましくは延長長さの変化を有するように形成され、側壁２２は連続性の方式で延長長さの変化を有するように形成され、そして側壁２２の延長長さの変化は全体のヘッドの重心位置（図示せず）および主打球ゾーン（図示せず）とは正関連性を有するように形成される。例えば、全体のヘッドの重心位置が低過ぎることによってフェース２１の主打球ゾーンの位置が相対的にソール部１４側に近付くと、側壁２２のソール部側の延長長さＬ２は好ましくは実質的にクラウン部側の延長長さＬ１より大きくなるように形成される。同様に、製品の需要性に応じて全体のヘッドの重心位置が高過ぎることによってフェース２１の主打球ゾーンの位置が相対的にクラウン部１３側に近付くと、側壁２２のクラウン部側の延長長さは好ましくは実質的にソール部１４側の延長長さ（図示せず）より大きくなるように形成される。また、全体のヘッドの重心位置が外側に偏ることによってフェース２１の主打球ゾーンの位置が相対的にトー部１１側に近付くと、側壁２２のトー部１１側の延長長さは好ましくは実質的にヒール部１２側の延長長さ（図示せず）より大きくなるように形成される。さらに、全体のヘッドの重心位置が内側に偏ることによってフェース２１の主打球ゾーンの位置が相対的にヒール部１２側に近付くと、側壁２２のヒール部１２側の延長長さは好ましくは実質的にトー部１１側の延長長さ（図示せず）より大きくなるように形成される。
【００２１】
図２を参照すると、組立を行う時、先ずフェース板部２０の側壁２２の端部２２１を本体部１０の結合部１６に当接させ、それから、製品の使用上の需要性に応じて選択的に熔接（welding）、硬ろう付け（brazing）、嵌入圧合または貼接などの方式を利用して結合を行う。また、フェース板部２０の側凹欠口２４も本体部１０の側壁部１７に適当に結合される。これにより、側壁２２と結合部１６および側凹欠口２４と側壁部１７は少なくとも二個の互いに垂直した結合の平面が提供されることにより、結合の強度を増やすことができる。組立を完成した後、フェース板部２０と本体部１０は共同でゴルフクラブヘッドを組成する。上記ゴルフクラブヘッドを利用してゴルフボールを打球する時、フェース板部２０の側壁２２によりフェース板部２０のフェース２１の弾性変形の能力を高めることができる。特に、全体のヘッドの重心位置が低過ぎることによってフェース２１の主打球ゾーンの位置が相対的にソール部１４側に近付くと、側壁２２のソール部側の延長長さは実質的にクラウン部側の延長長さより大きくなるように選択することができるため、ソール部に近付く側壁２２によりフェース２１の主打球ゾーンの位置にはさらに大きい弾性変形の能力を獲得することができ、さらに比較的よい打球の性能を提供することができる。
【００２２】
再び図２を参照すると、上記ゴルフクラブヘッドを利用してゴルフボールを打球すると、側壁２２の端部２２１と本体部１０の結合部１６との間には少なくとも一個の応力集中の位置が生じ易く、上記応力集中の位置はヘッドのタイプによって異なるが、本考案において側壁２２の内周面には上記応力集中の位置に対応するように強化突出体２５が設置される。このように、強化突出体２５により側壁２２または熔接道に亀裂が生じるのを有効に防止することができ、さらにフェース板部２０の脱落または破損を避けることができるため、耐震構造の強度を高めることができ、さらにゴルフクラブヘッドの打球の寿命を延ばすことができる。
【実施例２】
【００２３】
図３を参照すると、本考案の実施例２のゴルフクラブヘッド構造が掲示される。実施例１と比較してみると、実施例１においてはアイアン型ヘッドの領域に応用されているが、実施例２においてはフェース板部２０の側壁２２の延長長さの変化と強化突出体２５をウッド型ヘッドの領域に応用させる。これにより、側壁２２の延長長さの変化によって同様にフェース２１の主打球ゾーンの位置はより大きい弾性変形の能力を獲得することができ、さらにウッド型ヘッドは比較的よい打球の性能を提供することができる。また、強化突出体２５により同様に側壁２２または熔接道が応力集中の位置から亀裂が生じるのを有効に防止することができ、またフェース板部２０の脱落または破損が生じるのを避けることができ、さらに耐震構造の強度を高めると共に、ウッド型ヘッドの打球の寿命を延ばすことができる。
【実施例３】
【００２４】
図４を参照すると、本考案の実施例３のゴルフクラブヘッド構造が掲示される。実施例１と比較してみると、実施例３においてはフェース板部２０の側壁２２は製品の使用上の需要性に応じて異なる応力集中の位置において少なくとも一個の強化突出体２５が形成される。図４に示すように、強化突出体２５は側壁２２のクラウン部側の内周面においてトー部１１またはヒール部１２に近い位置に形成することもできる。これにより、強化突出体２５により同様に側壁２２または熔接道がそれぞれの応力集中の位置から亀裂が生じるのを有効に防止することができ、またフェース板部２０の脱落または破損が生じるのを避けることができ、さらに耐震構造の強度を高めると共に、ウッド型ヘッドの打球の寿命を延ばすことができる。
【実施例４】
【００２５】
図５を参照すると、本考案の実施例４のゴルフクラブヘッド構造が掲示される。実施例３と同様に、実施例１と比較してみると、実施例５においてもフェース板部２０の側壁２２は製品の使用上の需要性に応じて異なる応力集中の位置において少なくとも一個の強化突出体２５が形成される。図５に示すように、強化突出体２５は側壁２２のトー部側の内周面の位置に形成することもできる。これにより、強化突出体２５により同様に側壁２２または熔接道がそれぞれの応力集中の位置から亀裂が生じるのを有効に防止することができ、またフェース板部２０の脱落または破損が生じるのを避けることができ、さらに耐震構造の強度を高めると共に、ウッド型ヘッドの打球の寿命を延ばすことができる。
【実施例５】
【００２６】
図６を参照すると、本考案の実施例５のゴルフクラブヘッド構造が掲示される。実施例１と比較してみると、実施例５においてはフェース板部２０の側壁２２は製品の使用上の需要性に応じて不連続性の方式（すなわち階段状の方式）を選択して延長長さの変化を形成し、そして側壁２２の延長長さの変化は全体のヘッドの重心位置（図示せず）および主打球ゾーンの位置（図示せず）とは正関連性を有するように形成される。また、本体部１０の結合部１６にも対応するように不連続性の方式（すなわち階段状の方式）をもって延長長さの変化（図示せず）を有するように形成される。例えば、全体のヘッドの重心位置が低過ぎることによってフェース２１の主打球ゾーンの位置が相対的にソール部１４側に近付くと、側壁２２のソール部側の延長長さは好ましくは実質的にクラウン部側の延長長さより大きくなるように形成される。同じように、製品の使用上の需要性に応じて側壁２２はクラウン部側、ソール部側、トー部側またはヒール部側から比較的大きい延長長さを形成することができる。これにより、フェース２１が主打球ゾーンに近づく位置には比較的よい弾性変形の自由度を有するように形成されるため、打球の性能を相対的に高めることができる。
【産業上の利用可能性】
【００２７】
上述の如く、従来のゴルフクラブヘッド構造によれば、図７に示すように、フェース板部２０の側壁２２には延長長さの変化を有せず、しかも側壁２２が応力集中の位置において亀裂が生じるのを克服することができないため、弾性変形の能力と構造の強度が低下してしまうという問題点があったが、図１に示す本考案のゴルフクラブヘッド構造によれば、フェース板部２０の側壁２２には延長長さの変化を有するように形成され、さらに応力集中の位置において強化突出体が適当に設けられるため、確実に弾性変形の能力と耐震構造の強度を相対的に高めることができる。
【００２８】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２９】
【図１】本考案の実施例１のゴルフクラブヘッド構造を示す分解斜視図である。
【図２】本考案の実施例１のゴルフクラブヘッド構造による組み立てられた状態を示す断面図である。
【図３】本考案の実施例２のゴルフクラブヘッド構造を示す分解斜視図である。
【図４】本考案の実施例３のゴルフクラブヘッド構造によるフェース板の斜視図である。
【図５】本考案の実施例４のゴルフクラブヘッド構造によるフェース板の斜視図である。
【図６】本考案の実施例５のゴルフクラブヘッド構造によるフェース板の斜視図である。
【図７】従来のゴルフクラブヘッド構造を示す分解斜視図である。
【符号の説明】
【００３０】
１０    本体部                          １１    トー部
１２    ヒール部                        １３    クラウン部
１４    ソール部                        １５    ホーゼル
１６    結合部                          １７    側壁部
１８    凹欠部                          ２０    フェース板部
２１    フェース                        ２２    側壁
２２１    端部                            ２３    弾性変形空間
２４    側凹欠口                        ２５    強化突出体
Ｌ１    延長長さ                        Ｌ２    延長長さ
【図１】
0003116162.tif 000003
【図２】
0003116162.tif 000004
【図３】
0003116162.tif 000005
【図４】
0003116162.tif 000006
【図５】
0003116162.tif 000007
【図６】
0003116162.tif 000008
【図７】
0003116162.tif 000009
【手続補正書】
【提出日】平成17年9月5日(2005.9.5)
【手続補正１】
【補正対象書類名】実用新案登録請求の範囲
【補正対象項目名】全文
【補正方法】変更
【補正の内容】
【実用新案登録請求の範囲】
【請求項１】
本体部（１０）およびフェース板部（２０）により構成されるゴルフクラブヘッド構造であって、本体部（１０）の正面には結合部（１６）が形成され、フェース板部（２０）にはフェース（２１）と側壁（２２）が設けられ、フェース（２１）は打球するのに用いられ、フェース（２１）には主打球ゾーンが形成され、側壁（２２）はフェース（２１）の周縁から後方へ折り曲げて延伸するように形成され、側壁（２２）には端部（２２１）が形成されることにより、本体部（１０）の結合部（１６）に結合することができ、側壁（２２）には延長長さの変化を有するように形成され、側壁（２２）の延長長さの変化はフェース（２１）が上記主打球ゾーンに近い側の弾性変形の能力を相対的に高めるのに用いられることを特徴とするゴルフクラブヘッド構造。
【請求項２】
側壁（２２）は選択的に連続性、不連続性の方式で延長長さの変化に形成されることを特徴とする請求項１記載のゴルフクラブヘッド構造。
【請求項３】
側壁（２２）の延長長さの変化は全体のヘッドの重心位置および主打球ゾーンの位置とは正関連性を有するように形成されることを特徴とする請求項１記載のゴルフクラブヘッド構造。
【請求項４】
側壁（２２）のソール部側の延長長さは実質的にクラウン部側の延長長さより大きくなるように形成されることを特徴とする請求項１記載のゴルフクラブヘッド構造。
【請求項５】
側壁（２２）のクラウン部側の延長長さは実質的にソール部側の延長長さより大きくなるように形成されることを特徴とする請求項１記載のゴルフクラブヘッド構造。
【請求項６】
側壁（２２）のトー部側の延長長さは実質的にヒール部側の延長長さより大きくなるように形成されることを特徴とする請求項１記載のゴルフクラブヘッド構造。
【請求項７】
側壁（２２）のヒール部側の延長長さは実質的にトー部側の延長長さより大きくなるように形成されることを特徴とする請求項１記載のゴルフクラブヘッド構造。
【請求項８】
フェース板部（２０）の側壁（２２）の内周面には他に少なくとも一個の強化突出体（２５）が突出するように設けられることを特徴とする請求項１記載のゴルフクラブヘッド構造。
【請求項９】
強化突出体（２５）は側壁（２２）の内周面における少なくとも一個の応力集中の位置に突出するように設けられることを特徴とする請求項８記載のゴルフクラブヘッド構造。
【請求項１０】
強化突出体（２５）は側壁（２２）のソール部側の内周面においてトー部（１１）に近い位置に形成されることを特徴とする請求項８記載のゴルフクラブヘッド構造。
【請求項１１】
強化突出体（２５）は側壁（２２）のソール部側の内周面においてヒール部（１２）に近い位置に形成されることを特徴とする請求項８記載のゴルフクラブヘッド構造。
【請求項１２】
強化突出体（２５）は側壁（２２）のクラウン部側の内周面においてトー部（１１）に近い位置に形成されることを特徴とする請求項８記載のゴルフクラブヘッド構造。
【請求項１３】
強化突出体（２５）は側壁（２２）のクラウン部側の内周面においてヒール部（１２）に近い位置に形成されることを特徴とする請求項８記載のゴルフクラブヘッド構造。
【請求項１４】
強化突出体（２５）は側壁（２２）のトー部側の内周面の位置に形成されることを特徴とする請求項８記載のゴルフクラブヘッド構造。
【請求項１５】
本体部（１０）の正面においてヒール部（１２）に近い側には他に側壁部（１７）が設けられ、側壁部（１７）は実質的に結合部（１６）と垂直するように形成されることを特徴とする請求項１記載のゴルフクラブヘッド構造。
【請求項１６】
フェース板部（２０）のヒール部に近い側には他に側凹欠口（２４）が設けられることにより、本体部（１０）の側壁部（１７）に結合することができることを特徴とする請求項１５記載のゴルフクラブヘッド構造。